【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
複数の画素が二次元的に配置されたセンサにより画像を得る撮影部を制御する制御装置であって、
前記撮影部及び外部の画像記憶装置と通信する無線通信手段と、
前記撮影部から前記無線通信手段により受信される画像に基づく画像を記憶する記憶手段と、
外部の装置からの情報受信により、検査状態の情報を含む検査情報を取得する検査情報入力手段と、
被検体に対して少なくとも１つの撮影を含む検査を開始するためになされる、前記検査情報入力部で取得された前記検査状態の情報の変更に応じて、前記画像記憶装置に対する前記記憶部に記憶される画像の送信を制限する制御手段と、
を有することを特徴とする制御装置。
【請求項２】
複数の画素が二次元的に配置されたセンサにより画像を得る撮影部を制御する制御装置であって、
前記撮影部及び外部の画像記憶装置と通信する無線通信手段と、
前記撮影部から前記無線通信手段により受信される画像に基づく画像を記憶する記憶手段と、
前記画像記憶装置に対する前記記憶手段に記憶された画像の送信を制限する制御手段と、
を有し、
前記制御手段は、撮影に用いる撮影条件が選択されることに応じて前記画像記憶装置に対する前記記憶手段に記憶された画像の送信の制限を開始し、前記撮影条件の選択状態が解除されることに応じて前記画像記憶装置に対する前記記憶手段に記憶された画像の送信の制限を解除することを特徴とする制御装置。
【請求項３】
前記制御手段は、前記記憶手段に記憶される画像の前記無線通信手段による送信を行わないように制御し、
前記制御手段はさらに、前記制御装置に有線通信ケーブルが接続されている場合には、前記無線通信手段により画像を受信する期間であっても前記有線通信ケーブルを介して前前記記憶手段に記憶される画像を送信させることを特徴とする請求項１または２に記載の制御装置。
【請求項４】
前記制御手段は、前記撮影部から前記無線通信手段により画像を受信する期間は、前記画像記憶装置に対する前記記憶手段に記憶される画像の送信を制限し、かつ、前記無線通信手段による、外部の装置からの撮影オーダの受信または外部の装置への実施情報の送信の少なくともいずれかは行うことを特徴とする請求項１乃至３のいずれか１項に記載の制御装置。
【請求項５】
前記制御手段は、前記期間が開始されると判定された際に、前記無線通信手段により前記記憶部に記憶される画像の送信中であった場合には、前記画像の送信を中断させることを特徴とする請求項１乃至４のいずれか１項に記載の制御装置。
【請求項６】
前記画像の送信が中断されることに応じて前記撮影部からの画像の受信を開始させることを特徴とする請求項５に記載の制御装置。
【請求項７】
前記制御手段は、撮影に用いる撮影条件が選択されることに応じて前記画像記憶装置に対する前記記憶手段に記憶される画像の送信を制限することを特徴とする請求項１乃至６のいずれか１項に記載の制御装置。
【請求項８】
前記制御手段は、撮影に用いる撮影条件の選択状態が解除されることに応じて前記画像記憶装置に対する前記記憶手段に記憶される画像の送信の制限を解除することを特徴とする請求項７に記載の制御装置。
【請求項９】
前記制御手段は、前記撮影部で得られる複数の画像が前記記憶手段に記憶されている場合に、前記複数の画像のそれぞれに第二の識別情報が関連付けられているか否かに基づいて前記複数の画像を送信する順序を制御することを特徴とする請求項１乃至８のいずれか１項に記載の制御装置。
【請求項１０】
前記制御手段は、前記画像記憶装置に対する前記記憶手段に記憶される画像を送信する期間は、前記撮影部から前記無線通信手段からの画像の受信を制限することを特徴とする請求項１乃至９のいずれか１項に記載の制御装置。
【請求項１１】
前記被検体に対して少なくとも１つの撮影を含む検査を開始する第一の操作入力に応じて当該被検体についての撮影を実行するための撮影画面を表示部に表示させる表示制御手段をさらに有し、
前記検査状態は、当該検査が未検査であるか、開始済みであるか、終了済みであるかを管理する項目であり、
前記検査状態の情報の変更は、前記第一の操作入力に応じてなされ、
前記検査は、前記検査状態の情報を未検査から開始済みに変更することに応じて開始されることを特徴とする請求項１乃至１０のいずれか１項に記載の制御装置。
【請求項１２】
前記表示制御手段は、前記検査を終了する第二の操作入力を受け付けるアイコンを含む撮影画面を表示部に表示させ、
前記制御手段は、前記第二の操作入力に応じて前記画像記憶装置に対する前記記憶手段に記憶される画像の送信の制限を解除することを特徴とする請求項１１に記載の制御装置。
【請求項１３】
前記無線通信手段は、単一の無線通信モジュールを有し、当該単一の無線通信モジュールで前記撮影部及び前記画像記憶装置と通信することを特徴とする請求項１乃至１２のいずれか１項に記載の制御装置。
【請求項１４】
前記無線通信手段は、子機として前記画像記憶装置と通信し、子機として動作する撮影部と親機として通信することを特徴とする請求項１乃至１３のいずれか１項に記載の制御装置。
【請求項１５】
複数の画素が二次元的に配置されたセンサにより画像を得る撮影部と、
請求項１乃至１４のいずれか１項に記載の制御装置と、
を有することを特徴とするＸ線撮影システム。
【請求項１６】
複数の画素が二次元的に配置されたセンサにより画像を得る撮影部を制御する制御方法であって、
前記撮影部からの画像を無線で受信するステップと、
前記受信された画像に基づく画像を記憶手段に記憶させるステップと、
外部の装置からの情報受信により取得された検査情報に含まれる検査状態の情報が変更されることに応じて被検体に対して少なくとも１つの撮影を含む検査を開始するステップと、
前記検査状態の情報の変更に応じて、外部の画像記憶装置に対する前記記憶された画像の送信を制限するステップと、
を有することを特徴とする制御方法。
【請求項１７】
複数の画素が二次元的に配置されたセンサにより画像を得る撮影部を制御する制御方法であって、
前記撮影部からの画像を無線で受信するステップと、
前記受信された画像に基づく画像を記憶手段に記憶させるステップと、
外部の画像記憶装置に対する前記記憶された画像の送信を制限するステップと、
を有し、
前記制限するステップは、撮影に用いる撮影条件が選択されることに応じて前記画像記憶装置に対する前記記憶された画像の送信の制限を開始し、前記撮影条件の選択状態が解除されることに応じて前記画像記憶装置に対する前記記憶された画像の送信の制限を解除することを特徴とする制御方法。
【請求項１８】
請求項１６または１７に記載の制御方法をコンピュータに実行させるためのプログラム。
【手続補正２】
【補正対象書類名】明細書
【補正対象項目名】０００５
【補正方法】変更
【補正の内容】
【０００５】
そこで本発明の実施形態にかかる制御装置は、複数の画素が二次元的に配置されたセンサにより画像を得る撮影部を制御する制御装置であって、前記撮影部及び外部の画像記憶装置と通信する無線通信手段と、前記撮影部から前記無線通信手段により受信される画像に基づく画像を記憶する記憶手段と、外部の装置からの情報受信により、検査状態の情報を含む検査情報を取得する検査情報入力手段と、被検体に対して少なくとも１つの撮影を含む検査を開始するためになされる、前記検査情報入力部で取得された前記検査状態の情報の変更に応じて前記撮影部から前記無線通信手段により画像を受信する期間は、前記画像記憶装置に対する前記記憶部に記憶される画像の送信を制限する制御手段と、を有することを特徴とする。また、本発明の実施形態に係る制御装置は、複数の画素が二次元的に配置されたセンサにより画像を得る撮影部を制御する制御装置であって、前記撮影部及び外部の画像記憶装置と通信する無線通信手段と、前記撮影部から前記無線通信手段により受信される画像に基づく画像を記憶する記憶手段と、前記画像記憶装置に対する前記記憶手段に記憶された画像の送信を制限する制御手段と、を有し、
前記制御手段は、撮影に用いる撮影条件が選択されることに応じて前記画像記憶装置に対する前記記憶手段に記憶された画像の送信の制限を開始し、前記撮影条件の選択状態が解除されることに応じて前記画像記憶装置に対する前記記憶手段に記憶された画像の送信の制限を解除することを特徴とする。